(57)【要約】  薄型テレビと映像機器の接続コードを硝子棚の下に隠して簡便に取り付けられ収納できると共に、脱落しにくい構造で、且つ、横幅の違う大きさの機種展開に対応して、其々の機種ごとの大きさに切断して対応が出来き、機種ごとに金型を起こす事のないコード収納部材およびその製造方法が提供される。コード収納部材は、接続コードを収納するコード収納部と、テレビと映像機器を載置するテレビ載置台の硝子棚に取付けてコード収納部を固定保持する固定アーム部と、硝子棚と固定アーム部の固定力を強固にする固定ゴムを具備する。
2008075583.tif 000002
【特許請求の範囲】
【請求項１】
テレビと映像機器を接続する接続コードを収納するコード収納部材であって、
前記接続コードを収納するコード収納部と、
前記テレビと前記映像機器を載置するテレビ載置台の硝子棚に取付けられ、前記コード収納部を固定保持する固定アーム部と、
前記硝子棚と前記固定アーム部の固定力を強固にする固定ゴムと
を具備するコード収納部材。
【請求項２】
前記コード収納部と前記固定アーム部の樹脂と前記固定ゴムを同時に射出成型することにより成型される請求項１に記載のコード収納部材。
【請求項３】
前記固定ゴムは、
前記固定アーム部に埋め込まれた取付け部と、
前記硝子棚に接する突出部と
を有する請求項２に記載のコード収納部材。
【請求項４】
前記固定ゴムは、熱可塑性エラストマーである請求項２に記載のコード収納部材。
【請求項５】
前記接続コードを差込む傾斜したガイド部を更に具備する請求項２に記載のコード収納部材。
【請求項６】
前記コード収納部と前記ガイド部と前記固定アーム部は、プラスチック樹脂である請求項２に記載のコード収納部材。
【請求項７】
前記突出部は、半円状、正三角形、直角三角形、Ｍ字形状、或いは、長方形のいずれかである請求項３記載のコード収納部材。
【請求項８】
前記コード収納部は、長方形、丸形状のいずれかである請求項２記載のコード収納部材。
【請求項９】
前記硝子棚と前記固定アーム部との挿入力と抜去力の少なくとも一方は８０〜２５０Ｎである請求項２に記載のコード収納部材。
【請求項１０】
前記固定ゴムが１本のときの挿入力と抜去力の少なくとも一方が８０Ｎ以下の場合、前記固定ゴムは複数本配置される請求項２に記載のコード収納部材。
【請求項１１】
前記固定ゴムが連続した１本のときの挿入力と抜去力の少なくとも一方が２５０Ｎ以上の場合、前記固定ゴムは不連続である請求項２に記載のコード収納部材。
【請求項１２】
射出成型後に所定の長さに切断されている請求項２に記載のコード収納部材。
【請求項１３】
前記コード収納部は、端面が１６２〜１６８℃に加熱した金属製プレートに０．２〜０．３ｋｇの圧力で３〜５秒押し当てられた端面熱処理をされている請求項１２に記載のコード収納部材。
【請求項１４】
前記コード収納部は、透明である請求項１に記載のコード収納部材。
【請求項１５】
前記コード収納部は、内面に三角形の突起を複数本備える請求項１３に記載のコード収納部材。
【請求項１６】
テレビと映像機器を接続する接続コードを収納するコード収納部材の製造方法であって、
前記コード収納部材のコード収納部と固定アーム部の樹脂と固定ゴムを同時に射出成型により射出成型するステップと、
射出成型された前記コード収納部材を所定の長さに切断するステップと
を具備するコード収納部材の製造方法。
【請求項１７】
前記切断されたコード収納部材の端面を１６２〜１６８℃に加熱した金属製プレートに０．２〜０．３ｋｇの圧力で３〜５秒押し当てて端面熱処理をするステップと
を具備する請求項１６に記載のコード収納部材の製造方法。
【請求項１８】
前記射出成型するステップは、固定ゴムを不連続で射出する請求項１６に記載のコード収納部材の製造方法。
【発明の詳細な説明】
【技術分野】
【０００１】
本発明は、プラズマディスプレイパネルや液晶パネルなどの平面ディスプレイを用いた薄型テレビを載置台に搭載して、ＤＶＤやＶＴＲなどの周辺機材と接続して使用される機器間のコードを収納するときに用いられるコード収納部材とその製造方法に関する。
【背景技術】
【０００２】
近年、テレビ機器の分野では、画面の大型化と共に、プラズマディスプレイパネルや液晶パネルなどを用いた薄型テレビとＤＶＤやＶＴＲなど多くのデジタル機器を使用して映像を視聴する需要が急速に進んでいる。薄型テレビの最大の特徴は大画面の場合も奥行きが小さく抑制されることである。この薄型テレビの特徴を活かすためにテレビ用載置台のスタイリングとして、オープンタイプで硝子棚を用いた載置台の開発や販売が急速に普及し拡大している。【０００３】
このようなオープンタイプの載置台は各社から発売され、薄型テレビを搭載し、ＤＶＤなどの機材と接続して使用するケースも多い。そうして、機器との接続に不可欠なコード類を束ねるクランパーなどの商品も、既に各種開発されて販売されている。【０００４】
ところで、ブラウン管型テレビの載置台などにおいてのコード処理は、オープンタイプではないために、載置台の中に置かれた機材の後ろに束ねて隠すように置かれることが多く、埃溜まりになっても使用者の目に触れる事は無い。しかし、オープンタイプの載置台は、機材の後ろにコード類を隠すこともできない形状になっている。そのためオープンタイプの載置台では、コードの処理にコードクランパーなどを用いて束ねる事が多い。このため、出来るだけ簡単に、コードを束ねて処理する為の部材も多く市販されている。このような部材は、例えば特許文献１に開示されている。【０００５】
特許文献１に開示されたコードクランパーを用いるとコードを容易に束ねる事は出来るが、コードそのものを収納する事は出来ない。ところで、コードを見せないように、全体を覆うカバーなどの構造も考えられる。この構造では、カバーその物を隠す事は出来ないがコードが露出した状態よりは、外観上、煩雑なイメージを払拭する事が出来る。また、不要な埃溜りからも解消される。【０００６】
しかし、その全体を覆うカバーなどの構造の物も外部に突出した状態の為、コードが露出した煩雑さは防げるが、カバーそのものが露出している事に変わりは無く、依然として煩雑な状態となる。また、カバーそのものが不安定な形状として存在する。【０００７】
また、薄型テレビと周辺機材を接続するときの別の問題は、５８型、５０型、４２型、３７型などの機種展開に対応して其々の機種ごとに出来る限り目立たない場所に収納部分を作る必要が有る。其々の機種の型に対応する為に、金型費や機種数が増加する。
【特許文献１】実開昭６１−８５７０５号公報
【発明の開示】
【０００８】
本発明は、薄型テレビと映像機器の接続コードを硝子棚の下に隠して収納できると共に、収納部を押し出し成型で形成することで横幅の違う大きさの機種展開に対して其々の機種ごとの大きさに切断して対応が出来るコード収納部材とその製造方法を提供する。
【０００９】
また、本発明は、中棚後面下部に出来るだけ簡便に取り付けられ、且つ脱落しにくい構造のコード収納部材とその製造方法を提供する。
【００１０】
コード収納部材は、テレビと映像機器を接続する接続コードを収納するコード収納部材であって、接続コードを収納するコード収納部と、テレビと映像機器を載置するテレビ載置台の硝子棚に取付けられコード収納部を固定保持する固定アーム部と、硝子棚と固定アーム部の固定力を強固にする固定ゴムとを具備する。
【００１１】
コード収納部材の製造方法は、テレビと映像機器を接続する接続コードを収納するコード収納部材の製造方法であって、コード収納部材のコード収納部と固定アーム部の樹脂と固定ゴムを同時に射出成型により射出成型するステップと、射出成型されたコード収納部材を所定の長さに切断するステップとを具備する。
【図面の簡単な説明】
【００１２】
【図１】図１は実施の形態１におけるコード収納部材とコード配線順路を示す斜視図である。
【図２Ａ】図２Ａは実施の形態１におけるコード収納部材の平面図である。
【図２Ｂ】図２Ｂは実施の形態１におけるコード収納部材の正面図と右断面図と左断面図である。
【図２Ｃ】図２Ｃは実施の形態１におけるコード収納部材の底面図である。
【図２Ｄ】図２Ｄは実施の形態１におけるコード収納部材の背面図と左側面図である。
【図３】図３は実施の形態１におけるコード収納部材に収納された接続コードにより薄型テレビと映像機器をコード接合した状態を示す図である。
【図４Ａ】図４Ａは実施の形態１におけるコード収納部材の左側面の拡大図である。
【図４Ｂ】図４Ｂは実施の形態１におけるコード収納部材の左側面の拡大図である。
【図５Ａ】図５Ａは実施の形態１における固定ゴムのその他の突出形状の断面図である。
【図５Ｂ】図５Ｂは実施の形態１における固定ゴムの更に他の突出形状の断面図である。
【図５Ｃ】図５Ｃは実施の形態１における固定ゴムの更に他の突出形状の断面図である。
【図５Ｄ】図５Ｄは実施の形態１における固定ゴムの更に他の突出形状の断面図である。
【図６】図６は実施の形態１における固定ゴムを増設した場合のコード収納部材の左側面の拡大図である。
【図７】図７は実施の形態１における固定ゴムを不連続にした場合のコード収納部材の平面図である。
【図８】図８は実施の形態１におけるコード収納部材が別形状の斜視図である。
【図９】図９は実施の形態１における他のコード収納部材の左側面の拡大図である。
【符号の説明】
【００１３】
１    コード収納部材
２    接続コード
２ａ    接続部分
２ｂ    接続部分
３    映像機器
４    薄型テレビ
５    テレビ載置台
６    硝子棚
１０    固定アーム部
１１    固定ゴム
１１ａ    突出部
１１ｂ    取り付け部
２０    コード収納部
２１    天面
２２    前面
２３    底面
２４    後面
２５    突起
３０    ガイド部
【発明を実施するための最良の形態】
【００１４】
以下本発明を実施するための最良の形態について、図面を参照しながら説明する。【００１５】
（実施の形態１）
図１は本発明の実施の形態１におけるコード収納部材とコード配線順路を示す斜視図である。図２Ａは本発明の実施の形態１におけるコード収納部材の平面図である。図２Ｂは本発明の実施の形態１におけるコード収納部材の正面図と右断面図と左断面図である。図２Ｃは本発明の実施の形態１におけるコード収納部材の底面図である。図２Ｄは本発明の実施の形態１におけるコード収納部材の背面図と左側面図である。【００１６】
実施の形態１にかかるコード収納部材１は、オープンタイプの載置台の硝子棚に取付けられて、電源コードや接続コード２などのコードを内部に収納して使用される。この載置台にはプラズマディスプレイパネルや液晶パネルなどの平面ディスプレイを用いた薄型テレビが搭載される。また、この載置台にＤＶＤなどの周辺機材が設置されて使用される。なお、以降の説明ではテレビとして薄型テレビを挙げているが、本発明は薄型テレビに限られるものではなく、テレビ全般においても適応できる。【００１７】
図１のように、接続コード２は映像機器への接続部分２ａとテレビへの接続部分２ｂはコード収納部材１から露出して使用される。【００１８】
図３は発明の実施の形態１におけるコード収納部材１に収納された接続コードにより薄型テレビ４と映像機器３をコード接合した状態を示す図である。薄型テレビ４の後面側からの接続コード２をコード収納部材１を介してＤＶＤなどの映像機器３と接続した状態を示している。なお、ＤＶＤなどの映像機器３は周辺機器の一例であって、周辺機器はＤＶＤなどの映像機器３に限られるものではない。薄型テレビ４の後面側からの接続コード２は薄型テレビ４の本体の後面を右横側に走り、テレビ載置台５の右側の側板後面部を通り、硝子棚６の下をくぐる。硝子棚６の下をくぐった接続コード２は、硝子棚６に取付けられたコード収納部材１の内部へと導かれ、そして、映像機器３に接続される。これにより、薄型テレビ４の前面から接続コード２が見えることなく、薄型テレビ４と映像機器３の接続配線を行うことを可能としている。また、煩雑な接続コード類をコード収納部材１に収める事で、コード周辺に埃がたまらなくなる。【００１９】
図４Ａは発明の実施の形態１におけるコード収納部材１の左側面の拡大図である。図４Ａは図２Ｄの左側面図の拡大である。図４Ａに示すように、コード収納部材１は、大きく分けると、固定アーム部１０と、コード収納部２０と、ガイド部３０とから構成されている。固定アーム部１０は、テレビ載置台５の硝子棚６の後方より差し込んで取り付け可能な左右方向に板状である。コード収納部２０は接続コード２を内部に収納する。【００２０】
固定アーム部１０は、硝子棚６に取付けられるため、硝子棚６の厚みより少し広い空間をもった略コの字形状をしている。固定アーム部１０には、硝子棚６に取付けられたときにコード収納部材１の脱落やガタ付きを防止するために、硝子棚６と接触する内面にコード収納部２０の長手方向に伸びて突起状の固定ゴム１１が配置されている。【００２１】
コード収納部２０は、天面２１と前面２２と底面２３と後面２４とで構成されている。天面２１は、固定アーム部１０から続いていて且つ硝子棚６に平行に位置する。前面２２は天面２１から続いて硝子棚６に対してほぼ直角に曲がっている。底面２３は、前面２２から続いて硝子棚６に対してほぼ平行に位置している。後面２４は、底面２３から続いて硝子棚６に対してほぼ直角に曲がっている。コード収納部２０は天面２１、前面２２、底面２３、後面２４で形成された長方形の空間を有し、その空間に薄型テレビ４からの接続コード２を収納することができる。【００２２】
また、コード収納部２０は、硝子棚６を固定アーム部１０と共に挟むように形成され、横に長い板状からなり、硝子棚６を下方から支える。コード収納部２０は固定ゴム１１の位置より前方方向に長く設定され、固定アーム部１０とコード収納部２０の間に折り返し部が設けられる。こうすることで、固定アーム部１０と固定ゴム１１を後方下側に引き込む作用が働き、コード収納部２０を固定する事が出来る構成となっている。【００２３】
ガイド部３０は、コード収納部２０の後面２４に続いており、薄型テレビ４から伸びた接続コード２をコード収納部２０に差込し易いように挿入口を広げた形状になっている。ガイド部３０は、コード収納部２０の後面の一部として構成され、固定アーム部１０と並行、且つ横に長い斜め板状に形成されている。こうする事により、後面２４の上部の何れの場所から接続コード２を差し込んでも接続コード２が入り易い形状になっている。この場合、ガイド部３０の斜め傾斜部を上部に伸ばす事により更に、コード収納が容易になる。しかし、出来る限り外観上、特に前面から観て目立たなくする為には、固定アーム部１０の後方角を介して、前方斜め４５度の方向からみてガイド部３０が突出しない寸法に設定する事が必要である。【００２４】
固定アーム部１０とコード収納部２０とガイド部３０はプラスチック製で繋がっており、ＡＢＳ（Ａｃｒｙｌｏｎｉｔｒｉｌｅ  Ｂｕｔａｄｉｅｎｅ  Ｓｔｙｒｅｎｅ）などのプラスチック樹脂で形成されている。ＡＢＳは機械強度が強いことと、ガイド部３０から接続コード２を挿入する際に材質が曲げられる粘性があることと、押し出し成型でのそりがないことで、本発明のコード収納部材１に適している。【００２５】
次に、図４Ｂは図４Ａの固定ゴム１１およびその近傍部の拡大断面図である。図４Ｂに示すように、固定ゴム１１は突出部１１ａと取り付け部１１ｂから構成されている。そして、取り付け部１１ｂはその一部が固定アーム部１０に埋め込む形の構成となっている。こうすることで、突出部１１ａと固定アーム部１０を接合させ、硝子棚６への固定をより強固なものにし、コード収納部材１が経年変化による撓みやそのものの重さにより脱落する事を防いでいる。この場合、硝子棚６への密着性や固定をより強固にする為に、ゴムとプラスチックの中間の特性、あるいは、それらの両方の特性を併せ持つ熱可塑性エラストマーを固定ゴム１１として使用することが好ましい。このような特性の材質を固定ゴム１１として使用することにより、硝子棚６に挿入し易く、挿入後は固定ゴム１１の特質により硝子への摩擦抵抗が増し、脱落しにくい物となる。また、固定ゴム１１の挿入位置は固定アーム部１０の下部に位置させることで、コード収納部材１の本体の重さが固定ゴム１１にかかり、コード収納部材１は更に外れにくくなる。この場合、埋め込まれた取り付け部１１ｂの部分と突出部１１ａの材料比率は特に固定しない。【００２６】
硝子棚６にコード収納部材１を取付けるときの挿入力や、硝子棚６からコード収納部材１を取外すときの抜去力は、コード収納部材１の横方向の長さにほぼ比例する。コード収納部材１の横方向の長さが２８０〜７７０ｍｍのとき挿入力は８０〜１５０Ｎで、抜去力は１００〜２５０Ｎである。挿入力、或いは、抜去力が８０Ｎより低くなると、硝子棚６にコード収納部材１を取付けたときコード収納部材１が硝子棚６から簡単に外れてしまう。また、挿入力、或いは、抜去力が２５０Ｎ以上になると硝子棚６にコード収納部材１を人の手で簡単に取付けたり、外したりすることができない。ゆえに、コード収納部材１の挿入力、或いは、抜去力は８０〜２５０Ｎが適している。また、固定ゴム１１が図４Ａおよび図４Ｂのように１本のとき、コード収納部材１の横方向の長さは２８０〜７７０ｍｍが適している。【００２７】
固定ゴム１１の固定アーム部１０への取り付けは、例えば次のようにして実現される。すなわち、固定アーム部１０やコード収納部２０を射出成型などの押し出し成型する場合に、熱可塑性エラストマーを同時に押し出し成型する事でＡＢＳとエラストマーが化学的に接合されて、固定ゴム１１の取り付け部１１ｂと固定アーム部１０は一体化される。こうすることにより、挿入時や取り外しの場合に最も強度が必要な固定アーム部１０と取り付け部１１ｂとの接合力を強化することが出来る。原理的にはコード収納部２０の押し出し成型機にプラスチック原料が投入され、プラスチック原料はスクリューで加熱シリンダー内に送り込まれ、加熱流動化される。加熱流動化されたプラスチック原料を先端の原料通過断面穴を持った金型を通す時点で、その金型の一部より熱可塑性エラストマーを同時に押し出し成型して形が与えられ、水または空気で冷却固化される。このようにして、長尺のコード収納部材１を作ることが出来る。また、先端の原料通過断面穴の形状を変えることにより様々な断面形状のコード収納部材１を作成する事ができ、熱可塑性エラストマーの注入を断続的にすることにより更に挿抜力を調整する事も可能となる。【００２８】
次に、実施の形態１にかかるコード収納部材１の機能について、更に詳細に説明する。コード収納部材１の配線順路は図１および図３に示すように左右の開放部より接続コード２を挿入し、中央部より取り出し、ＤＶＤなどの映像機器３へと接続することは前記の通りである。【００２９】
また、図２Ａから図２Ｄに示すように、コード収納部材１は、図２Ｂの右側面図や左側面図のように左右対称で、横に長い筒状の形状である。そのため、固定アーム部１０や固定ゴム１１が硝子棚６全体の一辺を十分に保持する事が出来る。加えて、後面の何処の位置にもガイド部３０が形成されるため、接続コード２を何れの位置からでも出し入れする事が可能となる。【００３０】
従来は、５８型、５０型、４２型、３７型などの横幅の違う大きさの機種展開に対して、其々金型を起こして対応している。しかし、本発明のコード収納部材１は同一断面形状で任意の長さを作れるので、５８型、５０型、４２型、３７型などの横幅の違う大きさの機種展開に対して、其々、金型を起こす事無く、コード収納部２０を押し出し成型で形成することができる。こうすることで、本発明のコード収納部材１は其々の機種ごとの大きさに切断して対応が出来るなどの利点が有る。【００３１】
コード収納部材１を切断したときの端面は、切断痕が残っているので、切断痕を取り除くために端面熱処理が行われる。端面熱処理は、コード収納部材１を１６２〜１６８℃に加熱した金属製プレートに０．２〜０．３ｋｇの圧力で３〜５秒押し当てることで実施される。ＡＢＳ製のコード収納部材１の端面が金属製プレートの１６２〜１６８℃の温度により局部的に溶解し、０．２〜０．３ｋｇの圧力で３〜５秒の間に金属製プレートの表面で平らに成型される。【００３２】
以上の説明では、固定ゴム１１の突出部１１ａの形状を図４Ｂのように半円状としている。しかし、突出部１１ａの形状は半円状に限られるものではない。突出部１１ａの形状は、図５Ａから図５Ｄに示すような形状であってもよい。図５Ａは突出部１１ａの形状が正三角形であり、図５Ｂは突出部１１ａの形状が直角三角形であり、図５Ｃは突出部１１ａの形状がＭ字形状であり、図５Ｄは突出部１１ａの形状が長方形である。これらの場合、其々の特徴は、次の通りである。突出部１１ａの形状が正三角形の場合は、硝子棚６との接触面が少ない為、コード収納部材１を入れやすく、取り外ししやすい。突出部１１ａの形状が直角三角形の場合は、コード収納部材１を硝子棚６に入れにくいが、外しやすい。突出部１１ａの形状がＭ字形状の場合は、接触部小さく、コード収納部材１は突出部１１ａの形状が正三角形の場合よりも挿抜仕やすい。突出部１１ａの形状が長方形の場合は、コード収納部材１を挿入後の保持力が安定する。【００３３】
また、以上の説明においては、コード収納部材１の横方向の長さが２８０〜７７０ｍｍのとき、図４Ａや図４Ｂのように固定ゴム１１の本数を１本としている。ところで、図６はコード収納部材１の横方向の長さが２８０ｍｍ以下のときの固定ゴム１１およびその近傍部の拡大断面図である。コード収納部材１の横方向の長さが２８０ｍｍ以下のとき、図６に示すように固定ゴム１１の本数を２本以上の複数本としてもよい。その場合は、固定アーム部１０を前方方向に延長することで固定ゴム１１の配置場所が確保される。このようにして、固定ゴム１１の本数を増やすことで固定ゴム１１と硝子棚６との保持力を増加させる事が可能となる。こうすることで、コード収納部材１の横方向の長さが２８０ｍｍ以下のときでも、コード収納部材１の硝子棚６への挿入力を８０〜２５０Ｎに確保することができる。例えば、コード収納部材１の横方向の長さ１５０ｍｍにおいては、固定ゴム１１の本数が１本のときの硝子棚６への挿入力は４０Ｎであるが、固定ゴム１１を複数本にすることにより、挿入力、或いは、抜去力を８０Ｎ以上に確保することができる。コード収納部材１の硝子棚６への挿入力或いは硝子棚６からの抜去力を、固定ゴム１１が２本の場合には８０Ｎに、固定ゴム１１が３本の場合には１２０Ｎに、固定ゴム１１が４本の場合には１６０Ｎにできる。【００３４】
また、以上の説明においては、コード収納部材１の横方向の長さが２８０〜７７０ｍｍのとき、図４Ａや図４Ｂのように、固定ゴム１１を１本の連続ものとしている。ところで、図７は、コード収納部材１の横方向の長さが７７０ｍｍ以上のときの固定ゴム１１およびその近傍部の拡大断面図である。コード収納部材１の横方向の長さが７７０ｍｍ以上のとき、図７に示すように固定ゴム１１を不連続としてもよい。コード収納部材１を成型するときに、固定ゴム１１の材料を射出成型への注入と停止を所定の間隔や所定の割合で行うことにより、固定ゴム１１を不連続な点線状にすることができる。固定ゴム１１を不連続にすることで固定ゴム１１と硝子棚６との保持力を減少させる事が可能となる。その結果、コード収納部材１の横方向の長さが７７０ｍｍ以上のときでも、コード収納部材１の硝子棚６からの抜去力を２５０Ｎ以下に確保することができる。例えば、コード収納部材１の横方向の長さ１０００ｍｍにおいて、固定ゴム１１が連続ときの抜去力は３５０Ｎである。固定ゴム１１を不連続にした場合での、固定ゴム１１の硝子棚６からの抜去力は、次の通りである。コード収納部材１に対する固定ゴムの長さ割合を７０％にした場合、固定ゴム１１の硝子棚６からの抜去力は２４５Ｎである。コード収納部材１に対する固定ゴムの長さ割合を５０％にした場合、固定ゴム１１の硝子棚６からの抜去力は１７５Ｎである。コード収納部材１に対する固定ゴムの長さ割合を３０％にした場合、固定ゴム１１の硝子棚６からの抜去力は１０５Ｎである。このように、固定ゴム１１を不連続な点線状にすることにすることで、抜去力を２５０Ｎ以下に確保することができる。【００３５】
上記のように、本発明のコード収納部材は、固定ゴム１１の突出部１１ａの形状、固定ゴム１１の本数の変更、固定ゴム１１の連続性などの組み合わせにより、取付けるべき場所や要求される挿抜力が変わっても、形状を変えることにより様々な用途に対応することができる。【００３６】
次に、図８はコード収納部２０が丸形状の場合を示している。上述の説明においては、コード収納部２０の形状を図１のように長方形としたが、コード収納部２０の形状を図８に示すように、収納容量、収納場所により丸形状や三角形状など他の形状としてもよい。【００３７】
また、コード収納部材１や固定ゴム１１の色調を透明にする事で、固定アーム部１０を外観上、更に目立たなくすることも可能である。【００３８】
以上の説明におけるコード収納部材１では、コード収納部材１を透明にしたときコード収納部２０から接続コード２が視聴者側から見えてしまう。即ち、接続コード２は図４Ａの左方向に見えてしまうことになる。【００３９】
そこで、図９はコード収納部材１を透明にしたときでも、コード収納部２０から接続コード２が視聴者側に見えないコード収納部材１の左側面の拡大図である。【００４０】
図９のコード収納部材１が図４Ａのコード収納部材１と異なる部分は三角の突起２５である。三角の突起２５以外は図４Ａと同様であるので、それらの説明は省略し、主に三角の突起２５を説明する。【００４１】
図９に示すように、接続コード２を見えなくするために、前面２２の内面に三角の突起２５が横方向に複数本形成されている。三角形の突起２５により、接続コード２からの写像が散乱して、接続コード２が見えなくなっている。【００４２】
この収納部材の載置台への取り付けにおいて、薄型テレビと映像機器の接続は薄型テレビ後面から出たコードをテレビ載置台の側板後方より棚硝子の下部を通してコード収納部材左右収納部より配線、映像機器の後部下から接続する事により、配線が薄型テレビ視聴時に、前から見えることは無い。【００４３】
以上の説明から明らかな通り、本発明のコード収納部材とその製造方法は、薄型テレビと映像機器の接続コードを硝子棚の下に隠して簡便に取り付けられ、収納できる。それと共に、脱落しにくい構造で且つ収納部を押し出し成型で形成することで、５８型、５０型、４２型、３７型などの横幅の違う大きさの機種展開に対応できる。すなわち、其々の機種ごとの大きさに切断して対応が出来き、金型及び機種数を減らすことが出来る。【００４４】
また、本発明のコード収納部材では、薄型テレビ後面から出たコードを載置台の側板後方より硝子棚の下部を通してコード収納部材左右収納部より配線でき、映像機器の後部下から接続する事ができる。こうすることにより、配線が薄型テレビ視聴時にも見えることは無く美観を保つ事ができる。
【産業上の利用可能性】
【００４５】
本発明にかかるコード収納部材は、薄型テレビ後面から出た接続コードを載置台の側板後方より硝子棚の下部を通してコード収納部材左右収納部より配線し、映像機器の後部下から接続している。こうする事により、配線が薄型テレビ視聴時にも見えることは無く美観を保つ事が可能になるため、薄型テレビ等の付属品分野での使用が有用である。
【図１】
2008075583.tif 000003
【図２Ａ】
2008075583.tif 000004
【図２Ｂ】
2008075583.tif 000005
【図２Ｃ】
2008075583.tif 000006
【図２Ｄ】
2008075583.tif 000007
【図３】
2008075583.tif 000008
【図４Ａ】
2008075583.tif 000009
【図４Ｂ】
2008075583.tif 000010
【図５Ａ】
2008075583.tif 000011
【図５Ｂ】
2008075583.tif 000012
【図５Ｃ】
2008075583.tif 000013
【図５Ｄ】
2008075583.tif 000014
【図６】
2008075583.tif 000015
【図７】
2008075583.tif 000016
【図８】
2008075583.tif 000017
【図９】
2008075583.tif 000018
【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
テレビと映像機器を接続する接続コードを収納するコード収納部材であって、
前記接続コードを収納するコード収納部と、
前記テレビと前記映像機器を載置するテレビ載置台の硝子棚に取付けられ、前記コード収納部を固定保持する固定アーム部と、
前記硝子棚と前記固定アーム部の固定力を強固にする固定ゴムと
を具備するコード収納部材。
【請求項２】
前記コード収納部と前記固定アーム部の樹脂と前記固定ゴムを同時に射出成型することにより成型される請求項１に記載のコード収納部材。
【請求項３】
前記固定ゴムは、
前記固定アーム部に埋め込まれた取付け部と、
前記硝子棚に接する突出部と
を有する請求項２に記載のコード収納部材。
【請求項４】
前記固定ゴムは、熱可塑性エラストマーである請求項２に記載のコード収納部材。
【請求項５】
前記接続コードを差込む傾斜したガイド部を更に具備する請求項２に記載のコード収納部材。
【請求項６】
前記コード収納部と前記ガイド部と前記固定アーム部は、プラスチック樹脂である請求項２に記載のコード収納部材。
【請求項７】
前記突出部は、半円状、正三角形、直角三角形、Ｍ字形状、或いは、長方形のいずれかである請求項３記載のコード収納部材。
【請求項８】
前記コード収納部は、長方形、丸形状のいずれかである請求項２記載のコード収納部材。
【請求項９】
前記硝子棚と前記固定アーム部との挿入力と抜去力の少なくとも一方は８０〜２５０Ｎである請求項２に記載のコード収納部材。
【請求項１０】
前記固定ゴムが１本のときの挿入力と抜去力の少なくとも一方が８０Ｎ以下の場合、前記固定ゴムは複数本配置される請求項２に記載のコード収納部材。
【請求項１１】
前記固定ゴムが連続した１本のときの挿入力と抜去力の少なくとも一方が２５０Ｎ以上の場合、前記固定ゴムは不連続である請求項２に記載のコード収納部材。
【請求項１２】
射出成型後に所定の長さに切断されている請求項２に記載のコード収納部材。
【請求項１３】
前記コード収納部は、端面が１６２〜１６８℃に加熱した金属製プレートに０．２〜０．３ｋｇの圧力で３〜５秒押し当てられた端面熱処理をされている請求項１２に記載のコード収納部材。
【請求項１４】
前記コード収納部は、透明である請求項１に記載のコード収納部材。
【請求項１５】
前記コード収納部は、内面に三角形の突起を複数本備える請求項１３に記載のコード収納部材。
【請求項１６】
テレビと映像機器を接続する接続コードを収納するコード収納部材の製造方法であって、
前記コード収納部材のコード収納部と固定アーム部の樹脂と固定ゴムを同時に射出成型により射出成型するステップと、
射出成型された前記コード収納部材を所定の長さに切断するステップと
を具備するコード収納部材の製造方法。
【請求項１７】
前記切断されたコード収納部材の端面を１６２〜１６８℃に加熱した金属製プレートに０．２〜０．３ｋｇの圧力で３〜５秒押し当てて端面熱処理をするステップと
を具備する請求項１６に記載のコード収納部材の製造方法。
【請求項１８】
前記射出成型するステップは、固定ゴムを不連続で射出する請求項１６に記載のコード収納部材の製造方法。
【手続補正２】
【補正対象書類名】明細書
【補正対象項目名】全文
【補正方法】変更
【補正の内容】
【発明の詳細な説明】
【技術分野】
【０００１】
本発明は、プラズマディスプレイパネルや液晶パネルなどの平面ディスプレイを用いた薄型テレビを載置台に搭載して、ＤＶＤやＶＴＲなどの周辺機材と接続して使用される機器間のコードを収納するときに用いられるコード収納部材とその製造方法に関する。
【背景技術】
【０００２】
近年、テレビ機器の分野では、画面の大型化と共に、プラズマディスプレイパネルや液晶パネルなどを用いた薄型テレビとＤＶＤやＶＴＲなど多くのデジタル機器を使用して映像を視聴する需要が急速に進んでいる。薄型テレビの最大の特徴は大画面の場合も奥行きが小さく抑制されることである。この薄型テレビの特徴を活かすためにテレビ用載置台のスタイリングとして、オープンタイプで硝子棚を用いた載置台の開発や販売が急速に普及し拡大している。
【０００３】
このようなオープンタイプの載置台は各社から発売され、薄型テレビを搭載し、ＤＶＤなどの機材と接続して使用するケースも多い。そうして、機器との接続に不可欠なコード類を束ねるクランパーなどの商品も、既に各種開発されて販売されている。
【０００４】
ところで、ブラウン管型テレビの載置台などにおいてのコード処理は、オープンタイプではないために、載置台の中に置かれた機材の後ろに束ねて隠すように置かれることが多く、埃溜まりになっても使用者の目に触れる事は無い。しかし、オープンタイプの載置台は、機材の後ろにコード類を隠すこともできない形状になっている。そのためオープンタイプの載置台では、コードの処理にコードクランパーなどを用いて束ねる事が多い。このため、出来るだけ簡単に、コードを束ねて処理する為の部材も多く市販されている。このような部材は、例えば特許文献１に開示されている。
【０００５】
特許文献１に開示されたコードクランパーを用いるとコードを容易に束ねる事は出来るが、コードそのものを収納する事は出来ない。ところで、コードを見せないように、全体を覆うカバーなどの構造も考えられる。この構造では、カバーその物を隠す事は出来ないがコードが露出した状態よりは、外観上、煩雑なイメージを払拭する事が出来る。また、不要な埃溜りからも解消される。
【０００６】
しかし、その全体を覆うカバーなどの構造の物も外部に突出した状態の為、コードが露出した煩雑さは防げるが、カバーそのものが露出している事に変わりは無く、依然として煩雑な状態となる。また、カバーそのものが不安定な形状として存在する。
【０００７】
また、薄型テレビと周辺機材を接続するときの別の問題は、５８型、５０型、４２型、３７型などの機種展開に対応して其々の機種ごとに出来る限り目立たない場所に収納部分を作る必要が有る。其々の機種の型に対応する為に、金型費や機種数が増加する。
【特許文献１】実開昭６１−８５７０５号公報
【発明の開示】
【０００８】
本発明は、薄型テレビと映像機器の接続コードを硝子棚の下に隠して収納できると共に、収納部を押し出し成型で形成することで横幅の違う大きさの機種展開に対して其々の機種ごとの大きさに切断して対応が出来るコード収納部材とその製造方法を提供する。
【０００９】
また、本発明は、中棚後面下部に出来るだけ簡便に取り付けられ、且つ脱落しにくい構造のコード収納部材とその製造方法を提供する。
【００１０】
コード収納部材は、テレビと映像機器を接続する接続コードを収納するコード収納部材であって、接続コードを収納するコード収納部と、テレビと映像機器を載置するテレビ載置台の硝子棚に取付けられコード収納部を固定保持する固定アーム部と、硝子棚と固定アーム部の固定力を強固にする固定ゴムとを具備する。
【００１１】
コード収納部材の製造方法は、テレビと映像機器を接続する接続コードを収納するコード収納部材の製造方法であって、コード収納部材のコード収納部と固定アーム部の樹脂と固定ゴムを同時に射出成型により射出成型するステップと、射出成型されたコード収納部材を所定の長さに切断するステップとを具備する。
【発明を実施するための最良の形態】
【００１２】
以下本発明を実施するための最良の形態について、図面を参照しながら説明する。
【００１３】
（実施の形態１）
図１は本発明の実施の形態１におけるコード収納部材とコード配線順路を示す斜視図である。図２Ａは本発明の実施の形態１におけるコード収納部材の平面図である。図２Ｂは本発明の実施の形態１におけるコード収納部材の正面図と右断面図と左断面図である。図２Ｃは本発明の実施の形態１におけるコード収納部材の底面図である。図２Ｄは本発明の実施の形態１におけるコード収納部材の背面図と左側面図である。
【００１４】
実施の形態１にかかるコード収納部材１は、オープンタイプの載置台の硝子棚に取付けられて、電源コードや接続コード２などのコードを内部に収納して使用される。この載置台にはプラズマディスプレイパネルや液晶パネルなどの平面ディスプレイを用いた薄型テレビが搭載される。また、この載置台にＤＶＤなどの周辺機材が設置されて使用される。なお、以降の説明ではテレビとして薄型テレビを挙げているが、本発明は薄型テレビに限られるものではなく、テレビ全般においても適応できる。
【００１５】
図１のように、接続コード２は映像機器への接続部分２ａとテレビへの接続部分２ｂはコード収納部材１から露出して使用される。
【００１６】
図３は発明の実施の形態１におけるコード収納部材１に収納された接続コードにより薄型テレビ４と映像機器３をコード接合した状態を示す図である。薄型テレビ４の後面側からの接続コード２をコード収納部材１を介してＤＶＤなどの映像機器３と接続した状態を示している。なお、ＤＶＤなどの映像機器３は周辺機器の一例であって、周辺機器はＤＶＤなどの映像機器３に限られるものではない。薄型テレビ４の後面側からの接続コード２は薄型テレビ４の本体の後面を右横側に走り、テレビ載置台５の右側の側板後面部を通り、硝子棚６の下をくぐる。硝子棚６の下をくぐった接続コード２は、硝子棚６に取付けられたコード収納部材１の内部へと導かれ、そして、映像機器３に接続される。これにより、薄型テレビ４の前面から接続コード２が見えることなく、薄型テレビ４と映像機器３の接続配線を行うことを可能としている。また、煩雑な接続コード類をコード収納部材１に収める事で、コード周辺に埃がたまらなくなる。
【００１７】
図４Ａは発明の実施の形態１におけるコード収納部材１の左側面の拡大図である。図４Ａは図２Ｄの左側面図の拡大である。図４Ａに示すように、コード収納部材１は、大きく分けると、固定アーム部１０と、コード収納部２０と、ガイド部３０とから構成されている。固定アーム部１０は、テレビ載置台５の硝子棚６の後方より差し込んで取り付け可能な左右方向に板状である。コード収納部２０は接続コード２を内部に収納する。
【００１８】
固定アーム部１０は、硝子棚６に取付けられるため、硝子棚６の厚みより少し広い空間をもった略コの字形状をしている。固定アーム部１０には、硝子棚６に取付けられたときにコード収納部材１の脱落やガタ付きを防止するために、硝子棚６と接触する内面にコード収納部２０の長手方向に伸びて突起状の固定ゴム１１が配置されている。
【００１９】
コード収納部２０は、天面２１と前面２２と底面２３と後面２４とで構成されている。天面２１は、固定アーム部１０から続いていて且つ硝子棚６に平行に位置する。前面２２は天面２１から続いて硝子棚６に対してほぼ直角に曲がっている。底面２３は、前面２２から続いて硝子棚６に対してほぼ平行に位置している。後面２４は、底面２３から続いて硝子棚６に対してほぼ直角に曲がっている。コード収納部２０は天面２１、前面２２、底面２３、後面２４で形成された長方形の空間を有し、その空間に薄型テレビ４からの接続コード２を収納することができる。
【００２０】
また、コード収納部２０は、硝子棚６を固定アーム部１０と共に挟むように形成され、横に長い板状からなり、硝子棚６を下方から支える。コード収納部２０は固定ゴム１１の位置より前方方向に長く設定され、固定アーム部１０とコード収納部２０の間に折り返し部が設けられる。こうすることで、固定アーム部１０と固定ゴム１１を後方下側に引き込む作用が働き、コード収納部２０を固定する事が出来る構成となっている。
【００２１】
ガイド部３０は、コード収納部２０の後面２４に続いており、薄型テレビ４から伸びた接続コード２をコード収納部２０に差込し易いように挿入口を広げた形状になっている。ガイド部３０は、コード収納部２０の後面の一部として構成され、固定アーム部１０と並行、且つ横に長い斜め板状に形成されている。こうする事により、後面２４の上部の何れの場所から接続コード２を差し込んでも接続コード２が入り易い形状になっている。この場合、ガイド部３０の斜め傾斜部を上部に伸ばす事により更に、コード収納が容易になる。しかし、出来る限り外観上、特に前面から観て目立たなくする為には、固定アーム部１０の後方角を介して、前方斜め４５度の方向からみてガイド部３０が突出しない寸法に設定する事が必要である。
【００２２】
固定アーム部１０とコード収納部２０とガイド部３０はプラスチック製で繋がっており、ＡＢＳ（Ａｃｒｙｌｏｎｉｔｒｉｌｅ  Ｂｕｔａｄｉｅｎｅ  Ｓｔｙｒｅｎｅ）などのプラスチック樹脂で形成されている。ＡＢＳは機械強度が強いことと、ガイド部３０から接続コード２を挿入する際に材質が曲げられる粘性があることと、押し出し成型でのそりがないことで、本発明のコード収納部材１に適している。
【００２３】
次に、図４Ｂは図４Ａの固定ゴム１１およびその近傍部の拡大断面図である。図４Ｂに示すように、固定ゴム１１は突出部１１ａと取り付け部１１ｂから構成されている。そして、取り付け部１１ｂはその一部が固定アーム部１０に埋め込む形の構成となっている。こうすることで、突出部１１ａと固定アーム部１０を接合させ、硝子棚６への固定をより強固なものにし、コード収納部材１が経年変化による撓みやそのものの重さにより脱落する事を防いでいる。この場合、硝子棚６への密着性や固定をより強固にする為に、ゴムとプラスチックの中間の特性、あるいは、それらの両方の特性を併せ持つ熱可塑性エラストマーを固定ゴム１１として使用することが好ましい。このような特性の材質を固定ゴム１１として使用することにより、硝子棚６に挿入し易く、挿入後は固定ゴム１１の特質により硝子への摩擦抵抗が増し、脱落しにくい物となる。また、固定ゴム１１の挿入位置は固定アーム部１０の下部に位置させることで、コード収納部材１の本体の重さが固定ゴム１１にかかり、コード収納部材１は更に外れにくくなる。この場合、埋め込まれた取り付け部１１ｂの部分と突出部１１ａの材料比率は特に固定しない。
【００２４】
硝子棚６にコード収納部材１を取付けるときの挿入力や、硝子棚６からコード収納部材１を取外すときの抜去力は、コード収納部材１の横方向の長さにほぼ比例する。コード収納部材１の横方向の長さが２８０〜７７０ｍｍのとき挿入力は８０〜１５０Ｎで、抜去力は１００〜２５０Ｎである。挿入力、或いは、抜去力が８０Ｎより低くなると、硝子棚６にコード収納部材１を取付けたときコード収納部材１が硝子棚６から簡単に外れてしまう。また、挿入力、或いは、抜去力が２５０Ｎ以上になると硝子棚６にコード収納部材１を人の手で簡単に取付けたり、外したりすることができない。ゆえに、コード収納部材１の挿入力、或いは、抜去力は８０〜２５０Ｎが適している。また、固定ゴム１１が図４Ａおよび図４Ｂのように１本のとき、コード収納部材１の横方向の長さは２８０〜７７０ｍｍが適している。
【００２５】
固定ゴム１１の固定アーム部１０への取り付けは、例えば次のようにして実現される。すなわち、固定アーム部１０やコード収納部２０を射出成型などの押し出し成型する場合に、熱可塑性エラストマーを同時に押し出し成型する事でＡＢＳとエラストマーが化学的に接合されて、固定ゴム１１の取り付け部１１ｂと固定アーム部１０は一体化される。こうすることにより、挿入時や取り外しの場合に最も強度が必要な固定アーム部１０と取り付け部１１ｂとの接合力を強化することが出来る。原理的にはコード収納部２０の押し出し成型機にプラスチック原料が投入され、プラスチック原料はスクリューで加熱シリンダー内に送り込まれ、加熱流動化される。加熱流動化されたプラスチック原料を先端の原料通過断面穴を持った金型を通す時点で、その金型の一部より熱可塑性エラストマーを同時に押し出し成型して形が与えられ、水または空気で冷却固化される。このようにして、長尺のコード収納部材１を作ることが出来る。また、先端の原料通過断面穴の形状を変えることにより様々な断面形状のコード収納部材１を作成する事ができ、熱可塑性エラストマーの注入を断続的にすることにより更に挿抜力を調整する事も可能となる。
【００２６】
次に、実施の形態１にかかるコード収納部材１の機能について、更に詳細に説明する。コード収納部材１の配線順路は図１および図３に示すように左右の開放部より接続コード２を挿入し、中央部より取り出し、ＤＶＤなどの映像機器３へと接続することは前記の通りである。
【００２７】
また、図２Ａから図２Ｄに示すように、コード収納部材１は、図２Ｂの右側面図や左側面図のように左右対称で、横に長い筒状の形状である。そのため、固定アーム部１０や固定ゴム１１が硝子棚６全体の一辺を十分に保持する事が出来る。加えて、後面の何処の位置にもガイド部３０が形成されるため、接続コード２を何れの位置からでも出し入れする事が可能となる。
【００２８】
従来は、５８型、５０型、４２型、３７型などの横幅の違う大きさの機種展開に対して、其々金型を起こして対応している。しかし、本発明のコード収納部材１は同一断面形状で任意の長さを作れるので、５８型、５０型、４２型、３７型などの横幅の違う大きさの機種展開に対して、其々、金型を起こす事無く、コード収納部２０を押し出し成型で形成することができる。こうすることで、本発明のコード収納部材１は其々の機種ごとの大きさに切断して対応が出来るなどの利点が有る。
【００２９】
コード収納部材１を切断したときの端面は、切断痕が残っているので、切断痕を取り除くために端面熱処理が行われる。端面熱処理は、コード収納部材１を１６２〜１６８℃に加熱した金属製プレートに０．２〜０．３ｋｇの圧力で３〜５秒押し当てることで実施される。ＡＢＳ製のコード収納部材１の端面が金属製プレートの１６２〜１６８℃の温度により局部的に溶解し、０．２〜０．３ｋｇの圧力で３〜５秒の間に金属製プレートの表面で平らに成型される。
【００３０】
以上の説明では、固定ゴム１１の突出部１１ａの形状を図４Ｂのように半円状としている。しかし、突出部１１ａの形状は半円状に限られるものではない。突出部１１ａの形状は、図５Ａから図５Ｄに示すような形状であってもよい。図５Ａは突出部１１ａの形状が正三角形であり、図５Ｂは突出部１１ａの形状が直角三角形であり、図５Ｃは突出部１１ａの形状がＭ字形状であり、図５Ｄは突出部１１ａの形状が長方形である。これらの場合、其々の特徴は、次の通りである。突出部１１ａの形状が正三角形の場合は、硝子棚６との接触面が少ない為、コード収納部材１を入れやすく、取り外ししやすい。突出部１１ａの形状が直角三角形の場合は、コード収納部材１を硝子棚６に入れにくいが、外しやすい。突出部１１ａの形状がＭ字形状の場合は、接触部小さく、コード収納部材１は突出部１１ａの形状が正三角形の場合よりも挿抜仕やすい。突出部１１ａの形状が長方形の場合は、コード収納部材１を挿入後の保持力が安定する。
【００３１】
また、以上の説明においては、コード収納部材１の横方向の長さが２８０〜７７０ｍｍのとき、図４Ａや図４Ｂのように固定ゴム１１の本数を１本としている。ところで、図６はコード収納部材１の横方向の長さが２８０ｍｍ以下のときの固定ゴム１１およびその近傍部の拡大断面図である。コード収納部材１の横方向の長さが２８０ｍｍ以下のとき、図６に示すように固定ゴム１１の本数を２本以上の複数本としてもよい。その場合は、固定アーム部１０を前方方向に延長することで固定ゴム１１の配置場所が確保される。このようにして、固定ゴム１１の本数を増やすことで固定ゴム１１と硝子棚６との保持力を増加させる事が可能となる。こうすることで、コード収納部材１の横方向の長さが２８０ｍｍ以下のときでも、コード収納部材１の硝子棚６への挿入力を８０〜２５０Ｎに確保することができる。例えば、コード収納部材１の横方向の長さ１５０ｍｍにおいては、固定ゴム１１の本数が１本のときの硝子棚６への挿入力は４０Ｎであるが、固定ゴム１１を複数本にすることにより、挿入力、或いは、抜去力を８０Ｎ以上に確保することができる。コード収納部材１の硝子棚６への挿入力或いは硝子棚６からの抜去力を、固定ゴム１１が２本の場合には８０Ｎに、固定ゴム１１が３本の場合には１２０Ｎに、固定ゴム１１が４本の場合には１６０Ｎにできる。
【００３２】
また、以上の説明においては、コード収納部材１の横方向の長さが２８０〜７７０ｍｍのとき、図４Ａや図４Ｂのように、固定ゴム１１を１本の連続ものとしている。ところで、図７は、コード収納部材１の横方向の長さが７７０ｍｍ以上のときの固定ゴム１１およびその近傍部の拡大断面図である。コード収納部材１の横方向の長さが７７０ｍｍ以上のとき、図７に示すように固定ゴム１１を不連続としてもよい。コード収納部材１を成型するときに、固定ゴム１１の材料を射出成型への注入と停止を所定の間隔や所定の割合で行うことにより、固定ゴム１１を不連続な点線状にすることができる。固定ゴム１１を不連続にすることで固定ゴム１１と硝子棚６との保持力を減少させる事が可能となる。その結果、コード収納部材１の横方向の長さが７７０ｍｍ以上のときでも、コード収納部材１の硝子棚６からの抜去力を２５０Ｎ以下に確保することができる。例えば、コード収納部材１の横方向の長さ１０００ｍｍにおいて、固定ゴム１１が連続ときの抜去力は３５０Ｎである。固定ゴム１１を不連続にした場合での、固定ゴム１１の硝子棚６からの抜去力は、次の通りである。コード収納部材１に対する固定ゴムの長さ割合を７０％にした場合、固定ゴム１１の硝子棚６からの抜去力は２４５Ｎである。コード収納部材１に対する固定ゴムの長さ割合を５０％にした場合、固定ゴム１１の硝子棚６からの抜去力は１７５Ｎである。コード収納部材１に対する固定ゴムの長さ割合を３０％にした場合、固定ゴム１１の硝子棚６からの抜去力は１０５Ｎである。このように、固定ゴム１１を不連続な点線状にすることにすることで、抜去力を２５０Ｎ以下に確保することができる。
【００３３】
上記のように、本発明のコード収納部材は、固定ゴム１１の突出部１１ａの形状、固定ゴム１１の本数の変更、固定ゴム１１の連続性などの組み合わせにより、取付けるべき場所や要求される挿抜力が変わっても、形状を変えることにより様々な用途に対応することができる。
【００３４】
次に、図８はコード収納部２０が丸形状の場合を示している。上述の説明においては、コード収納部２０の形状を図１のように長方形としたが、コード収納部２０の形状を図８に示すように、収納容量、収納場所により丸形状や三角形状など他の形状としてもよい。
【００３５】
また、コード収納部材１や固定ゴム１１の色調を透明にする事で、固定アーム部１０を外観上、更に目立たなくすることも可能である。
【００３６】
以上の説明におけるコード収納部材１では、コード収納部材１を透明にしたときコード収納部２０から接続コード２が視聴者側から見えてしまう。即ち、接続コード２は図４Ａの左方向に見えてしまうことになる。
【００３７】
そこで、図９はコード収納部材１を透明にしたときでも、コード収納部２０から接続コード２が視聴者側に見えないコード収納部材１の左側面の拡大図である。
【００３８】
図９のコード収納部材１が図４Ａのコード収納部材１と異なる部分は三角の突起２５である。三角の突起２５以外は図４Ａと同様であるので、それらの説明は省略し、主に三角の突起２５を説明する。
【００３９】
図９に示すように、接続コード２を見えなくするために、前面２２の内面に三角の突起２５が横方向に複数本形成されている。三角形の突起２５により、接続コード２からの写像が散乱して、接続コード２が見えなくなっている。
【００４０】
この収納部材の載置台への取り付けにおいて、薄型テレビと映像機器の接続は薄型テレビ後面から出たコードをテレビ載置台の側板後方より棚硝子の下部を通してコード収納部材左右収納部より配線、映像機器の後部下から接続する事により、配線が薄型テレビ視聴時に、前から見えることは無い。
【００４１】
以上の説明から明らかな通り、本発明のコード収納部材とその製造方法は、薄型テレビと映像機器の接続コードを硝子棚の下に隠して簡便に取り付けられ、収納できる。それと共に、脱落しにくい構造で且つ収納部を押し出し成型で形成することで、５８型、５０型、４２型、３７型などの横幅の違う大きさの機種展開に対応できる。すなわち、其々の機種ごとの大きさに切断して対応が出来き、金型及び機種数を減らすことが出来る。
【００４２】
また、本発明のコード収納部材では、薄型テレビ後面から出たコードを載置台の側板後方より硝子棚の下部を通してコード収納部材左右収納部より配線でき、映像機器の後部下から接続する事ができる。こうすることにより、配線が薄型テレビ視聴時にも見えることは無く美観を保つ事ができる。
【産業上の利用可能性】
【００４３】
本発明にかかるコード収納部材は、薄型テレビ後面から出た接続コードを載置台の側板後方より硝子棚の下部を通してコード収納部材左右収納部より配線し、映像機器の後部下から接続している。こうする事により、配線が薄型テレビ視聴時にも見えることは無く美観を保つ事が可能になるため、薄型テレビ等の付属品分野での使用が有用である。
【図面の簡単な説明】
【００４４】
【図１】実施の形態１におけるコード収納部材とコード配線順路を示す斜視図
【図２Ａ】実施の形態１におけるコード収納部材の平面図
【図２Ｂ】実施の形態１におけるコード収納部材の正面図と右断面図と左断面図
【図２Ｃ】実施の形態１におけるコード収納部材の底面図
【図２Ｄ】実施の形態１におけるコード収納部材の背面図と左側面図
【図３】実施の形態１におけるコード収納部材に収納された接続コードにより薄型テレビと映像機器をコード接合した状態を示す図
【図４Ａ】実施の形態１におけるコード収納部材の左側面の拡大図
【図４Ｂ】実施の形態１におけるコード収納部材の左側面の拡大図
【図５Ａ】実施の形態１における固定ゴムのその他の突出形状の断面図
【図５Ｂ】実施の形態１における固定ゴムの更に他の突出形状の断面図
【図５Ｃ】実施の形態１における固定ゴムの更に他の突出形状の断面図
【図５Ｄ】実施の形態１における固定ゴムの更に他の突出形状の断面図
【図６】実施の形態１における固定ゴムを増設した場合のコード収納部材の左側面の拡大図
【図７】実施の形態１における固定ゴムを不連続にした場合のコード収納部材の平面図
【図８】実施の形態１におけるコード収納部材が別形状の斜視図
【図９】実施の形態１における他のコード収納部材の左側面の拡大図
【符号の説明】
【００４５】
１    コード収納部材
２    接続コード
２ａ    接続部分
２ｂ    接続部分
３    映像機器
４    薄型テレビ
５    テレビ載置台
６    硝子棚
１０    固定アーム部
１１    固定ゴム
１１ａ    突出部
１１ｂ    取り付け部
２０    コード収納部
２１    天面
２２    前面
２３    底面
２４    後面
２５    突起
３０    ガイド部
【手続補正３】
【補正対象書類名】図面
【補正対象項目名】全図
【補正方法】変更
【補正の内容】
【図１】
2008075583.tif 000019
【図２Ａ】
2008075583.tif 000020
【図２Ｂ】
2008075583.tif 000021
【図２Ｃ】
2008075583.tif 000022
【図２Ｄ】
2008075583.tif 000023
【図３】
2008075583.tif 000024
【図４Ａ】
2008075583.tif 000025
【図４Ｂ】
2008075583.tif 000026
【図５Ａ】
2008075583.tif 000027
【図５Ｂ】
2008075583.tif 000028
【図５Ｃ】
2008075583.tif 000029
【図５Ｄ】
2008075583.tif 000030
【図６】
2008075583.tif 000031
【図７】
2008075583.tif 000032
【図８】
2008075583.tif 000033
【図９】
2008075583.tif 000034
【国際調査報告】
2008075583.tif 000035
2008075583.tif 000036